(57)【特許請求の範囲】
【請求項１】
電子機器の筐体内に板状部材を介装して上下２つの空間を画成し、一方の空間にはデータ記憶媒体に対してデータの読み書きを行なうためのドライブを配備する一方、
他方の空間には、前記板状部材との間に間隔を置いて、前記ドライブの駆動制御に必要とされる電気部品のうち高発熱電気部品を前記筐体の外周壁の一面に穿設された空気排出口から間隔を置いて実装した基板を配備し、前記外周壁において前記空気排出口を穿設した一面に並行する他の一面もしくは其の近傍に空気取り入れ口を穿設すると共に、
前記基板上の前記高発熱電気部品と接触するように設けられた放熱板と前記板状部材の一部とで構成され前記板状部材と前記基板との間の間隔よりも薄い管状のエアダクトを、前記高発熱電気部品から前記空気排出口に至る区間に設け、前記エアダクトにおける前記高発熱電気部品側の端部に、前記板状部材と前記基板との間の間隔よりも薄い遠心式扁平ファンの空気噴き出し口を接続して配備したことを特徴とする電子機器の筐体構造。
【請求項２】
前記エアダクトのうち前記放熱板で構成される部分が、樋状に形成されていることを特徴とした請求項１記載の電子機器の筐体構造。
【請求項３】
前記空気排出口および前記エアダクトの断面形状が、前記遠心式扁平ファンの空気噴き出し口の形状に合わせて形成されていることを特徴とした請求項１または請求項２のうち何れか一項に記載の電子機器の筐体構造。
【請求項４】
前記板状部材および前記外周壁が、金属材料によって形成されていることを特徴とした請求項１，請求項２または請求項３のうち何れか一項に記載の電子機器の筐体構造。
【請求項５】
前記外周壁において前記空気排出口を穿設した一面が、熱伝導率の高い金属材料によって形成されていることを特徴とした請求項１，請求項２，請求項３または請求項４のうち何れか一項に記載の電子機器の筐体構造。
【発明の詳細な説明】
【技術分野】
【０００１】
本発明は、光メディア等のデータ記憶媒体を取り扱うためのドライブと其の駆動制御に必要とされる電気部品を実装した基板とを内蔵する電子機器の筐体構造に関する。
【背景技術】
【０００２】
この種の筐体構造の一例としてＤＶＤデッキの筐体構造を図３および図４に記す。図３はＤＶＤデッキの筐体を簡略化して示した分解図、また、図４はＤＶＤデッキの筐体を簡略化して示した縦断面図である。
【０００３】
図３および図４に示されるＤＶＤデッキの筐体１０１は、データ記憶媒体の一種である光メディアに対してデータの読み書きを行なうための光ディスク用ドライブ１０２と光ディスク用ドライブ１０２の駆動制御に必要とされる電気部品群１０３（詳細は省略）を実装した基板１０４を格納するためのもので、その主要部は、ベースシャーシ１０５とトップカバー１０６、および、外周壁の４つの面を構成するサイドパネル１０７，１０８とフロントパネル１０９ならびにリアパネル１１０によって構成される。
【０００４】
アンプ等の高発熱電気部品１０３ａを含む電気部品群１０３を実装した基板１０４は、図４に示されるように、ベースシャーシ１０５上に載置されるようなかたちで筐体１０１に取り付けられ、また、光ディスク用ドライブ１０２は、トップカバー１０６の下面側に懸吊されるようなかたちで筐体１０１に取り付けられている。
【０００５】
そして、フロントパネル１０９には、図３に示されるように、データ記憶媒体の一種である光メディアを光ディスク用ドライブ１０２に挿入するためのスロット１１１が設けられ、更に、スロット１１１の下方位置には、スリット群からなる空気取り入れ口１１２が穿設されている。
【０００６】
一方、リアパネル１１０には、基板１０４に取り付けられたコネクタ１０３ｂ，１０３ｃに外部からのコードのプラグを差し込むための矩形状のプラグ差し込み口１１４ｂ，１１４ｃと同心円状に形成されたスリット群からなる空気排出口１１３とが穿設して設けられ、更に、基板１０４におけるリアパネル１１０寄りの縁部には、空気排出口１１３の面に対して軸流方向を直交させるようにして、軸流式ファン１１５が取り付けられている。
【０００７】
また、リアパネル１１０には筐体１０１の内側に向けて凸となる平坦な突出部１１０ａがプレス成形され、図４に示されるように、アンプ等の高発熱電気部品１０３ａにリアパネル１１０の突出部１１０ａが接触するようになっている。
【０００８】
つまり、図３および図４に示される筐体１０１にあっては、電気部品群１０３を実装した基板１０４と光ディスク用ドライブ１０２が、ベースシャーシ１０５とトップカバー１０６およびサイドパネル１０７，１０８とフロントパネル１０９ならびにリアパネル１１０によって画成される１つの空間内に纏めて配備されており、軸流式ファン１１５を駆動してフロントパネル１０９の空気取り入れ口１１２から空気を取り込んでリアパネル１１０の空気排出口１１３に排出することにより筐体１０１の内部に図４中の矢印で示されるような空気流を形成し、この空気流によって基板１０４に実装された電気部品群１０３を冷却し、特に、アンプ等の高発熱電気部品１０３ａに関しては、リアパネル１１０の突出部１１０ａを直接的に接触させ、リアパネル１１０自体を高発熱電気部品１０３ａの放熱板として利用することで其の冷却効果を高めるように工夫している。
【０００９】
しかしながら、このような構成を適用した場合、筐体１０１の内部空間の全域に亘って外部から取り込まれた空気が流れることになるので、埃の侵入によって光ディスク用ドライブ１０２や其の内部の光メディアの信頼性が低下する不都合がある。
【００１０】
また、筐体１０１によって画成された内部空間の空気流は流速が遅く、筐体１０１内の全体的な雰囲気温度の引き下げ、つまり、基板１０４に実装された一般的な電気部品群１０３の冷却には対処できるものの、アンプ等の高発熱電気部品１０３ａを冷却するには不十分であり、局所的な過熱が生じる恐れがある。
【００１１】
しかも、軸流式ファン１１５は、空気流の形成に必要とされる方向、例えば、図４の例で言えばフロントパネル１０９の空気取り入れ口１１２からリアパネル１１０の空気排出口１１３に向かう方向に軸流方向を合わせて取り付ける必要があり、リアパネル１１０の空気排出口１１３の直径もファン径に合わせて大きく穿設する必要があるので、リアパネル１１０のデッドスペースが増大し、コネクタ１０３ｂ，１０３ｃに加えて更に別のコネクタを増設したり、あるいは、新たなコネクタ用のプラグ差し込み口をリアパネル１１０に穿設したりすることが難しくなるといった不都合がある。同様に、高発熱電気部品１０３ａと接触して熱を伝達するための突出部１１０ａや高発熱電気部品１０３ａ自体も、コネクタの増設やプラグ差し込み口の穿設の際の支障となる。
【００１２】
光ディスク用ドライブや其の内部の光メディアの信頼性の低下を防止するための技術手段としては、特許文献１に開示されるように、筐体の内部に２つの空間に区画し、その一方に光ディスク用ドライブを配備する一方、他方の空間に電装品や電源部を配備して冷却用のファンモータを取り付けたものが提案されている。
【００１３】
しかし、このものは、他方の空間に配備された電装品や電源部の冷却に関しては図３および図４に示されるような公知技術を適用しているに過ぎず、一般的な電気部品の冷却には対処できても、アンプ等の高発熱電気部品に対する冷却性能が不十分と思われ、局所的な過熱の発生が心配される。
【００１４】
更に、リアパネルの空気排出口の直径をファン径に合わせて大きく穿設する必要がある点は前記と同様であり、リアパネルのデッドスペースが増大するので、筐体の背面側におけるコネクタの増設やプラグ差し込み口の形成に不都合があると考えられる。
【００１５】
また、空気流通路を形成するフィンを備えた専用のケースと此のケースの冷却に用いられる横置き型の遠心式扁平ファンとによって構成されるヒートシンクを基板上のマイクロプロセッサに取り付けて高発熱電気部品であるマイクロプロセッサの過熱を防止するようにした放熱装置が特許文献２として提案されているが、このものは、専らマイクロプロセッサの冷却のみに特化したものであって、筐体内部の雰囲気温度を低下させて他の電気部品の過熱を防止するための構成については何らの考慮もされていない。
【００１６】
更に、ウォータージャケット，ポンプ，ラジエータ，配管等によって構成される液冷式の冷却構造を備えた電子機器が特許文献３として提案されているが、このものも前述した特許文献２の放熱装置と同様、専らマイクロプロセッサの冷却のみに特化したものであり、他の電気部品の冷却のためには別の冷却手段としてファンが必要となり、全体の構造の複雑化や部品点数の増大によって装置の製造コストが増大する不都合がある。
【００１７】
なお、筐体内部の雰囲気温度を低下させるための空気流を形成するために横置き型の遠心式扁平ファンを利用する点に関しては、特許文献４あるいは特許文献５等で開示されるように一般的な周知事項である。
【００１８】
【特許文献１】特開平６−７６５５５号公報（段落０００７，図１）
【特許文献２】特開２００７−１７２０７６号公報（段落００１３，図３，図５）
【特許文献３】特開２００６−３１５７４号公報（段落００１８，段落００２４）
【特許文献４】特開２００１−１４２５７４号公報
【特許文献５】特開２０００−２２７８２０号公報
【発明の開示】
【発明が解決しようとする課題】
【００１９】
本発明の課題は、埃の侵入によってドライブや其の内部のデータ記憶媒体の信頼性が低下することがなく、しかも、基板に実装された一般的な電気部品群の冷却とアンプ等の高発熱電気部品の冷却を１つのファンで賄うことができ、筐体の外周壁に生じるデッドスペースの面積を低減してコネクタの増設やプラグ差し込み口の増設が可能な電子機器の筐体構造を安価な構成にて提供することにある。
【課題を解決するための手段】
【００２０】
本発明における電子機器の筐体構造は、電子機器の筐体内に板状部材を介装して上下２つの空間を画成し、一方の空間にはデータ記憶媒体に対してデータの読み書きを行なうためのドライブを配備する一方、
他方の空間には、前記板状部材との間に間隔を置いて、前記ドライブの駆動制御に必要とされる電気部品のうち高発熱電気部品を前記筐体の外周壁の一面に穿設された空気排出口から間隔を置いて実装した基板を配備し、前記外周壁において前記空気排出口を穿設した一面と並行する他の一面もしくは其の近傍に空気取り入れ口を穿設すると共に、
前記基板上の前記高発熱電気部品と接触するように設けられた放熱板と前記板状部材の一部とで構成され前記板状部材と前記基板との間の間隔よりも薄い管状のエアダクトを、前記高発熱電気部品から前記空気排出口に至る区間に設け、前記エアダクトにおける前記高発熱電気部品側の端部に、前記板状部材と前記基板との間の間隔よりも薄い遠心式扁平ファンの空気噴き出し口を接続して配備したことを特徴とする構成を有する。
【発明の効果】
【００２１】
本発明における電子機器の筐体構造は、電子機器の筐体内に板状部材を介装して上下２つの空間を画成し、その一方の空間にデータ記憶媒体に対してデータの読み書きを行なうためのドライブを配備する構成としたので、ドライブを配備した側の空間に外部からの空気が流通することはなく、埃の侵入によってドライブや其の内部のデータ記憶媒体の信頼性が低下する不都合が解消される。
【００２２】
また、筐体内に画成された他方の空間には、ドライブの駆動制御に必要とされる電気部品のうち高発熱電気部品を筐体の外周壁の一面、例えば、リアパネルに穿設された空気排出口から間隔を置いて実装した基板を配備し、筐体の外周壁において空気排出口を穿設した一面と並行する他の一面、例えば、フロントパネルもしくは其の近傍に空気取り入れ口を穿設し、基板上の高発熱電気部品と接触するように設けられた放熱板と筐体内の空間を上下に画成する板状部材の一部とで構成される管状のエアダクトを高発熱電気部品から空気排出口に至る区間に設け、エアダクトにおける高発熱電気部品側の端部に、筐体内の空間を上下に画成する板状部材と基板との間の間隔よりも薄い遠心式扁平ファンの空気噴き出し口を接続して配備する構成としたので、遠心式扁平ファンの駆動で生じる空気取り入れ口から遠心式扁平ファンに至る広い空気流路、つまり、板状部材と基板の間に形成される広い空気流路を流れる低速の空気流によってドライブの駆動制御に必要とされる電気部品のうち高発熱電気部品を除く一般的な電気部品群を冷却することができる。
しかも、基板上の高発熱電気部品と接触するように設けられた放熱板が高発熱電気部品の熱を吸収し、この熱が、筐体内の空間を上下に画成する板状部材の一部と放熱板とで構成される管状のエアダクトを流れる高速の空気流、つまり、一般的な電気部品群を冷却することによって多少は温度が上昇しているもののダクトで流路の幅を制限されることによって流速を著しく速められた高速の空気流により、筐体の外周壁の一面、例えば、リアパネルに穿設された空気排出口を介して筐体の外部に排出されるので、ドライブの駆動制御に必要とされる電気部品のうち高発熱電気部品の冷却も支障なく行うことができる。
このように、基板に実装された一般的な電気部品群の冷却とアンプ等の高発熱電気部品の冷却を１つの遠心式扁平ファンの設置で賄うことができるので、一般的な電気部品群の冷却とアンプ等の高発熱電気部品の冷却を共に行うことのできる電子機器の筐体構造を安価に提供することが可能となる。
【００２３】
更に、筐体の外周壁の一面、例えば、リアパネルに穿設する空気排出口は、遠心式扁平ファンの空気噴き出し口に相当する面積があれば済むので、通常の軸流式ファンに必要とされる空気排出口よりも小面積のものでよく、しかも、高発熱電気部品を筐体の外周壁の一面、例えば、リアパネルの突出部等に接触させて熱を逃がす必要もないので、高発熱電気部品の投影面積に匹敵するデッドスペースがリアパネルに形成されることもなくなり、筐体の外周壁の一面、例えば、リアパネルに生じるデッドスペースの面積が大幅に低減され、コネクタの増設やプラグ差し込み口の増設に関わるレイアウトを容易に行うことができるようになる。
【発明を実施するための最良の形態】
【００２４】
次に、本発明を実施するための最良の形態について一例を挙げ、図面を参照して具体的に説明する。
【００２５】
図１は本発明における電子機器の筐体構造を電子機器の一種であるＤＶＤデッキの筐体構造に適用した場合の一実施形態について簡略化して示した分解図、また、図２は同ＤＶＤデッキの筐体構造を簡略化して示した縦断面図である。
【００２６】
この実施形態の筐体１は、図１に示される通り、データ記憶媒体の一種である光メディアに対してデータの読み書きを行なうためのドライブ１０２つまり光ディスク用ドライブ１０２と光ディスク用ドライブ１０２の駆動制御に必要とされる電気部品群１０３（詳細は省略）を実装した基板１０４を格納するためのもので、その主要部は、ベースシャーシ１０５とトップカバー１０６、および、筐体１の外周壁の４つの面を構成するサイドパネル１０７，１０８とフロントパネル１０９ならびにリアパネル１１０と、筐体１の内部に上下２つの空間を画成するための板状部材２によって構成される。
【００２７】
このうち、板状部材２および外周壁の４つの面を構成するサイドパネル１０７，１０８とフロントパネル１０９ならびにリアパネル１１０は金属材料で形成されている。
【００２８】
アンプ等の高発熱電気部品１０３ａを含む電気部品群１０３を実装した基板１０４は、図２に示されるように、ベースシャーシ１０５上に載置されるようなかたちで、板状部材２との間に間隔Ｇ１を置いて、筐体１に画成された下方側の空間Ｓ１内に配備され、また、光ディスク用ドライブ１０２は、トップカバー１０６の下面側に懸吊されるようなかたちで、筐体１に画成された他方の空間すなわち上方側の空間Ｓ２内に配備されている。
【００２９】
また、基板１０４には、光ディスク用ドライブ１０２の駆動制御に必要とされる電気部品群１０３のうち、アンプ等の高発熱電気部品１０３ａが、図２に示されるようにして、筐体１の外周壁の一面を構成するリアパネル１１０に穿設された空気排出口３から間隔Ｇ２を置いて実装されている。
【００３０】
そして、筐体１の外周壁のうち空気排出口３を穿設した一面であるリアパネル１１０に対して並行する他の一面、すなわち、筐体１の外周壁の他の一面を構成するフロントパネル１０９には、図１に示されるように、光メディアを光ディスク用ドライブ１０２に挿入するためのスロット１１１が設けられ、更に、スロット１１１の下方位置には、スリット群からなる空気取り入れ口１１２が穿設されている。
【００３１】
但し、空気取り入れ口１１２の穿設位置に関しては、フロントパネル１０９の前面の他、その近傍の位置、例えば、左右のサイドパネル１０７，１０８の手前側の端部位置やフロントパネル１０９の下面、あるいは、ベースシャーシ１０５の手前側の端部位置であっても構わない。
【００３２】
一方、筐体１の外周壁の一面であるリアパネル１１０には、基板１０４に取り付けられたコネクタ１０３ｂ，１０３ｃに外部からのコードのプラグを差し込むための矩形状のプラグ差し込み口１１４ｂ，１１４ｃが前述の空気排出口３と共に併設されている。
【００３３】
高発熱電気部品１０３ａのための放熱板４は、図１に示されるように、下に凸の樋状に形成された本体部４ａと本体部４ａの一側から屈曲して手前側の下方に延出する取り付け用舌片部４ｂとによって一体に構成され、取り付け用舌片部４ｂの部分が高発熱電気部品１０３ａの背面に接触するようにして、基板４上もしくは高発熱電気部品１０３ａ自体の背面に固着される。
【００３４】
そして、図２に示されるように、樋状に形成された放熱板４の本体部４ａと板状部材２の一部とによって、高発熱電気部品１０３ａからリアパネル１１０の空気排出口３に至る区間の管状のエアダクト５が形成され、エアダクト５における高発熱電気部品１０３ａ側の端部に空気噴き出し口６ａを接続するようにして、板状部材２と基板１０４との間の間隔Ｇ１よりも薄く構成された遠心式扁平ファン６が取り付けられている。
【００３５】
既に述べた通り、エアダクト５のうち放熱板４で構成される部分つまり放熱板４における本体部４ａの部分は、下に凸の樋状となっている。
【００３６】
また、この実施形態では、リアパネル１１０の空気排出口３とエアダクト５の断面形状が、共に、図１に示されるようにして、遠心式扁平ファン６の空気噴き出し口６ａの形状および寸法に合わせて形成されており、その形は矩形である。
【００３７】
遠心式扁平ファン６は其の上面を板状部材２の下面に固着して取り付けてもよいし、あるいは、空気噴き出し口６ａの側を放熱板４における本体部４ａの端部に固着して取り付けるようにしてもよい。
【００３８】
遠心式扁平ファン６としては、ターボファン，シロッコファン，エアホイルファン等の何れを使用することも可能である。
【００３９】
図２に示される通り、放熱板４における本体部４ａの長さは、リアパネル１１０の空気排出口３と高発熱電気部品１０３ａとの間の間隔Ｇ２と略同等であり、間隔Ｇ２すなわち本体部４ａの長さは、遠心式扁平ファン６における送風量，エアダクト５の一部を構成する本体部４ａの横幅，エアダクト５の一部を構成する本体部４ａの左右の側壁４ｃの高さ，放熱板４を構成する素材の熱伝導率等を考慮し、遠心式扁平ファン６からエアダクト５に流入する空気の流れによって高発熱電気部品１０３ａの過熱が防止できるような長さに定める。
【００４０】
また、図２に示されるようにして放熱板４の端部と当接するリアパネル１１０を金属材料、特に、アルミニウム合金等の熱伝導率の高い金属材料によって形成し、このリアパネル１１０自体を放熱板４と共に実質的な放熱手段として利用する場合もあり、そのような場合においては、リアパネル１１０によって放出される熱量をも考慮して、前述した放熱板４における本体部４ａの長さ、つまり、リアパネル１１０の空気排出口３と高発熱電気部品１０３ａとの間の間隔Ｇ２の大きさを定めるようにする。
【００４１】
放熱板４における本体部４ａの長さやリアパネル１１０と高発熱電気部品１０３ａとの間の間隔Ｇ２の大きさは、最低限、高発熱電気部品１０３ａの過熱が防止できるような長さとする必要があるが、更に、幾ばくかの冗長性をもって間隔Ｇ２の大きさを定めるようにしてもよい。
【００４２】
この実施形態では、放熱板４における本体部４ａの長さやリアパネル１１０と高発熱電気部品１０３ａとの間の間隔Ｇ２の大きさに冗長性を持たせ、図２に示されるように、リアパネル１１０と高発熱電気部品１０３ａと放熱板４の本体部４ａとで囲まれる空間Ｓ３内に、前述のコネクタ１０３ｂ，１０３ｃとは別に新たなコネクタ１０３ｄを配備するようにしており、コネクタ１０３ｄに外部からのコードのプラグを差し込むための矩形状のプラグ差し込み口１１４ｄを図１に示されるようにしてリアパネル１１０に設けている。
【００４３】
特に、この実施形態では、リアパネル１１０の空気排出口３とエアダクト５の断面形状を共に遠心式扁平ファン６の空気噴き出し口６ａの形状および寸法に合わせて形成しているため、例えば、図３に示されるようにして軸流方向をリアパネル１１０に直交させて軸流式ファン１１５を基板１０４に取り付けた公知の構造に比べ、リアパネル１１０のデッドスペースを軽減することが可能であり、しかも、高発熱電気部品１０３ａの熱を放熱板４における本体部４ａを介してリアパネル１１０に伝導しているので、高発熱電気部品１０３ａの熱をリアパネル１１０に伝導するための突出部１１０ａをリアパネル１１０側に加工する不要もなくなり、これらの相乗効果によってリアパネル１１０のデッドスペースを大幅に軽減することができる。
【００４４】
このため、図１に示されるように、前述のコネクタ１０３ｂ，１０３ｃ，１０３ｄに加えて更に別のコネクタ１０３ｅを配備することができるようになる。コネクタ１０３ｅの増設に合わせて、リアパネル１１０の側には、コネクタ１０３ｅに外部からのコードのプラグを差し込むための矩形状のプラグ差し込み口１１４ｅを穿設する。
【００４５】
次に、高発熱電気部品１０３ａを含む電気部品群１０３の冷却に関連した機能について図２を参照して説明する。
【００４６】
ＤＶＤデッキの動作中に遠心式扁平ファン６が駆動されると、筐体１における下方側の空間Ｓ１，Ｓ３内の空気が、遠心式扁平ファン６における下面６ｂ側の開口部から吸い込まれ、遠心式扁平ファン６，エアダクト５，空気排出口３を介して筐体１の外部に排出される。
【００４７】
従って、筐体１における下方側の空間Ｓ１，Ｓ３内の気圧は外気圧との比較において相対的に負圧となり、フロントパネル１０９の空気取り入れ口１１２を介して外部からの空気が吸い込まれ、筐体１における下方側の空間Ｓ１に図２中の矢印で示されるような空気流が形成される。
【００４８】
筐体１における上方側の空間Ｓ２は板状部材２によって下方側の空間Ｓ１と隔離されているので、上方側の空間Ｓ２すなわち光ディスク用ドライブ１０２を配備した側の空間Ｓ２に空気が流通することはなく、埃の侵入によって光ディスク用ドライブ１０２や光メディアの信頼性が低下するといった心配はない。
【００４９】
ＤＶＤデッキの動作中に基板１０４上の電気部品群１０３が発熱するが、このうち激しく発熱するのはアンプ等の高発熱電気部品１０３ａであり、他の電気部品群１０３の発熱は高発熱電気部品１０３ａに比べて小さい。
【００５０】
フロントパネル１０９の空気取り入れ口１１２から吸い込まれた空気は、まず、図２に示されるように、基板１０４と板状部材２の間に形成された広い空気流路に沿って低速で流れ、その過程で、高発熱電気部品１０３ａを除いた他の電気部品群１０３を冷却し、その結果として、或る程度その温度が上昇する。
【００５１】
高発熱電気部品１０３ａを除いた他の電気部品群１０３は著しく発熱するものではないので、このように低速の空気流によって十分に過熱を防止することが可能である。
【００５２】
一方、アンプ等の高発熱電気部品１０３ａの発熱作用によって生成された熱の大半は、高発熱電気部品１０３ａの背面に接触した放熱板４の取り付け用舌片部４ｂを介して、放熱板４における樋状の本体部４ａつまりダクト５に伝達される。
【００５３】
エアダクト５を流れる空気は、基板１０４と板状部材２の間に形成された広い空気流路を通過する過程で或る程度その温度が上昇しているが、板状部材２と基板１０４との間の間隔Ｇ１よりも遠心式扁平ファン６における空気噴き出し口６ａの上下幅が薄く（図２参照）、かつ、筐体１の左右幅に比べて遠心式扁平ファン６の空気噴き出し口６ａの左右幅が短いこと（図１参照）、すなわち、基板１０４と板状部材２との間の空気流路に比べてダクト５によって形成される空気流路の幅が著しく制限されることにより、エアダクト５を流れる空気の流速が著しく増大するので、この高速の空気が放熱板４における樋状の本体部４ａに沿って流れることで、高発熱電気部品１０３ａから放熱板４の本体部４ａに伝達された熱の大半を効率よくリアパネル１１０の空気排出口３から外部に排出することができる。
【００５４】
エアダクト５のうち放熱板４で構成される部分つまり放熱板４における本体部４ａの部分は下に凸の樋状とされているので、ダクト５を流れる空気と接する放熱板４の全体的な表面積が増長され、放熱効果を向上させることができる。
また、管状のエアダクト５を構成するために板状部材２の側に深絞り等の格別の加工を施して凹部を形成する必要もないので、装置の製造コストが削減できるメリットがある。
【００５５】
一方、高発熱電気部品１０３ａから放熱板４の本体部４ａに伝達された残りの熱は、図２に示されるようにして放熱板４の本体部４ａの端部に当接するアルミニウム合金等からなるリアパネル１１０を放熱手段（ヒートシンク）として利用することで、リアパネル１１０と外部の空気との間の熱交換作用で筐体１の外部に排出される。
【００５６】
ダクト５によって形成される空気流路を流れる高速の空気流による放熱板４の強制空冷、および、放熱板４に当接した熱伝導率の高い金属材料からなるリアパネル１１０を利用した外部の空気との熱交換作用を併用して高発熱電気部品１０３ａの熱を筐体１の外部に排出するようにしているので、アンプ等の高発熱電気部品１０３ａの冷却も支障なく行うことができる。
【００５７】
以上に述べたように、この実施形態では、高発熱電気部品１０３ａを除いた他の電気部品群１０３を冷却して僅かに温度が上昇した空気の流速を速め、この空気を再び利用して高発熱電気部品１０３ａを効率よく冷却するようにしているので、アンプ等の高発熱電気部品１０３ａを含む電気部品群１０３の冷却を１つの遠心式扁平ファン６の設置で賄うことができる。
このため、発熱の大きな高発熱電気部品１０３ａを冷却するための冷却手段（例えばウォータージャケット等）と、高発熱電気部品１０３ａを除いた他の電気部品群１０３を冷却するための冷却手段（例えば軸流式ファン等）を併設するといった必要がなく、ＤＶＤデッキの筐体１を安価に提供することができる。
【００５８】
また、この実施例においては、特に、板状部材２および外周壁の４つの面を構成するサイドパネル１０７，１０８とフロントパネル１０９ならびにリアパネル１１０を金属材料で形成していることから、筐体１に画成された下方側の空間Ｓ１内に配備された基板１０４を外部からの電気的なノイズからシールドすること、および、基板１０４上で生じる電気的なノイズが外部に漏れ出ることを防止することができ、ノイズ対策の面でも有益である。ノイズのシールドや漏れ出しの防止を効果的にするためには、ベースシャーシ１０５を含めて金属製とすることが望ましい。
【図面の簡単な説明】
【００５９】
【図１】本発明の筐体構造を電子機器の一種であるＤＶＤデッキの筐体構造に適用した場合の一実施形態について簡略化して示した分解図である。
【図２】同実施形態のＤＶＤデッキの筐体構造を簡略化して示した縦断面図である。
【図３】光メディア等のデータ記憶媒体を取り扱うためのドライブと其の駆動制御に必要とされる電気部品を実装した基板とを内蔵する電子機器の筐体構造の一例としてＤＶＤデッキの筐体構造を簡略化して示した分解図である。
【図４】光メディア等のデータ記憶媒体を取り扱うためのドライブと其の駆動制御に必要とされる電気部品を実装した基板とを内蔵する電子機器の筐体構造の一例としてＤＶＤデッキの筐体構造を簡略化して示した縦断面図である。
【符号の説明】
【００６０】
１  筐体
２  板状部材
３  空気排出口
４  放熱板
４ａ  本体部
４ｂ  取り付け用舌片部
４ｃ  側壁
５  管状のエアダクト
６  遠心式扁平ファン
６ａ  遠心式扁平ファンの空気噴き出し口
６ｂ  遠心式扁平ファンの下面
１０１  筐体
１０２  光ディスク用ドライブ
１０３  電気部品群
１０３ａ  高発熱電気部品
１０３ｂ，１０３ｃ，１０３ｄ，１０３ｅ  コネクタ
１０４  基板
１０５  ベースシャーシ
１０６  トップカバー
１０７，１０８  サイドパネル
１０９  フロントパネル
１１０  リアパネル
１１０ａ  突出部
１１１  スロット
１１２  空気取り入れ口
１１３  空気排出口
１１４ｂ，１１４ｃ，１１４ｄ，１１４ｅ  プラグ差し込み口
１１５  軸流式ファン
Ｓ１  下方側の空間
Ｓ２  上方側の空間
Ｓ３  リアパネルと高発熱電気部品と放熱板の本体部とで囲まれる空間
Ｇ１  板状部材と基板の間の間隔
Ｇ２  リアパネルに穿設された空気排出口と高発熱電気部品の間の間隔
【図１】
0004945805.tif 000002
【図２】
0004945805.tif 000003
【図３】
0004945805.tif 000004
【図４】
0004945805.tif 000005